(57)【要約】【課題】浴室の洗い場床面の清掃性を簡易な構成により向上し得る浴室床構造を提供する。【解決手段】浴室床構造Ａは、浴室ベース床部２１の上面２１ａに、複数枚の表面床パーツ３を取外し可能に敷き詰めて、洗い場床面を構成するようにしている。【選択図】図１
2009228367.tif 000002
【特許請求の範囲】
【請求項１】
浴室ベース床部の上面に、複数枚の表面床パーツを取外し可能に敷き詰めて、洗い場床面を構成するようにしていることを特徴とする浴室床構造。
【請求項２】
請求項１において、
前記複数枚の表面床パーツは、それぞれ略同寸の多角形状とされていることを特徴とする浴室床構造。
【請求項３】
請求項１または２において、
前記表面床パーツの外周部には、該表面床パーツの上面より段落ち状に形成された突片部が設けられており、
前記浴室ベース床部の上面に前記表面床パーツを敷き詰めた際には、前記突片部が隣接する該表面床パーツ同士の間に介在されて床目地を形成するようにしていることを特徴とする浴室床構造。
【請求項４】
請求項３において、
前記突片部は、軟質材からなることを特徴とする浴室床構造。
【発明の詳細な説明】
【技術分野】
【０００１】
本発明は、システムバスルームやユニットバスルーム、シャワールーム等の浴室の洗い場床面を構成する浴室床構造に関する。
【背景技術】
【０００２】
従来の浴室の洗い場の床面には、床面の意匠性を高めるためや、滑り止めのため、或いは、水はけを良くし乾燥を促進させるため等の理由により目地や凹凸が形成されている。
このような目地や凹凸が形成された床面では、該目地や凹部に汚れが溜まり易く、また、その汚れは、除去し難いという問題があった。また、このような汚れを除去する際には、屈み込んで清掃する必要があり、身体への負担も大きいものであった。
【０００３】
下記特許文献１では、浴室床面の排水口の清掃を容易に行うことを目的として提案された浴室の二重床構造が開示されている。
このものでは、浴室と出入り口との段差をなくすために、浴室の床面に表面材を支持する支持部材を配設し、該支持部材に複数枚の表面材を被着させた二重床構造としている。また、該二重床は、排水口を覆う部分が切り欠かれており、その切欠部分に、上記同様の支持部材及び該支持部材に表面材を被着させた被覆体を脱着自在に嵌合する構造とされている。
これによれば、上記被覆体を取外すだけで排水口が露出し、二重床の他の部分を取外す必要がないため、簡単に排水口の清掃を行うことができる、と説明されている。
【特許文献１】特開２００１−６５１８２号公報
【発明の開示】
【発明が解決しようとする課題】
【０００４】
しかし、上記特許文献１に記載の浴室の二重床構造では、上記被覆体を取外すことにより、排水口の清掃性は向上されるものではあるが、浴室の洗い場床面自体の清掃性を向上させることは困難なものであった。すなわち、上記二重床構造では、上記表面材が被着される床面に配置された支持部材は、該表面材が嵌め合わされるための凹部等が形成された複雑な構造となっており、また、該表面材の裏面にも該凹部に嵌め込まれる突起等が形成された複雑な構造となっており、これらの清掃性の考慮がなされていないという問題があった。
【０００５】
本発明は、上記実情に鑑みなされたものであり、浴室の洗い場床面の清掃性を簡易な構成により向上し得る浴室床構造を提供することを目的としている。
【課題を解決するための手段】
【０００６】
前記目的を達成するために、本発明に係る浴室床構造は、浴室ベース床部の上面に、複数枚の表面床パーツを取外し可能に敷き詰めて、洗い場床面を構成するようにしていることを特徴とする。
【０００７】
本発明の前記浴室床構造においては、前記複数枚の表面床パーツを、それぞれ略同寸の多角形状としてもよい。
また、本発明の前記浴室床構造においては、前記表面床パーツの外周部に、該表面床パーツの上面より段落ち状に形成された突片部を設け、前記浴室ベース床部の上面に前記表面床パーツを敷き詰めた際には、前記突片部が隣接する該表面床パーツ同士の間に介在されて床目地を形成するようにしてもよい。前記突片部を設けた前記浴室床構造においては、前記突片部を、軟質材からなるものとしてもよい。
【発明の効果】
【０００８】
本発明に係る前記浴室床構造では、浴室の洗い場床面を、浴室ベース床部と、該浴室ベース床部の上面に取外し可能に敷き詰められる複数枚の表面床パーツとにより構成している。これにより、清掃時には、表面床パーツを浴室ベース床部から取外して清掃でき、清掃性が向上する。すなわち、これら表面床パーツを清掃する際には、取外すことにより手元で清掃できるので、屈み込んで清掃する必要がなく、身体への負担も軽減される。また、浴室ベース床部から取外した表面床パーツは、該浴室ベース床部に敷き詰めることで、容易に元に戻すことができ、清掃時等における作業性が良い。
【０００９】
さらに、従来の浴室の洗い場床面に形成されていた目地や凹凸を、前記表面床パーツに形成することで、上記のように清掃性が向上されるのみならず、意匠性、滑り止め性及び水はけ性も同時に向上させることができる。すなわち、意匠性、滑り止め性及び水はけ性の機能としての目地や凹凸を、取外し可能な表面床パーツに備えさせることで、従来除去が困難であった洗い場床面の凹部や目地溝の清掃性を飛躍的に向上させることができる。
さらにまた、前記表面床パーツは、取外し可能とされているので、除去できない汚れや破損等が生じたい場合、或いは模様替え等をしたい場合には、交換もできる。
また、前記浴室ベース床部の上面には、目地や凹凸を形成する必要がないので、その上面を略平滑とでき、製造が容易である。また、その上面を略平滑とできるので、前記表面床パーツを取外すことで、浴室ベース床部を容易に清掃できる。
【００１０】
本発明に係る前記浴室床構造において、前記複数枚の表面床パーツを、それぞれ略同寸の多角形状とすれば、製造コストを低減できるとともに、保管性及び搬送性に優れた表面床パーツとなる。
また、それぞれ略同寸の多角形状とされているので、前記浴室ベース床部から取外して、該表面床パーツを清掃した後に、前記浴室ベース床部に敷き詰める際に、容易に敷き詰めることができる。
【００１１】
本発明に係る前記浴室床構造において、前記表面床パーツの外周部に、該表面床パーツの上面より段落ち状に形成された突片部を設け、前記浴室ベース床部の上面に前記表面床パーツを敷き詰めた際には、前記突片部が隣接する該表面床パーツ同士の間に介在されて床目地を形成するようにすれば、以下のような効果を奏する。
すなわち、該突片部により形成される床目地により、洗い場床面の意匠性、滑り止め性及び水はけ性が向上される。
【００１２】
前記突片部を設けた前記浴室床構造において、前記突片部を、軟質材からなるものとすれば、前記浴室ベース床部に前記複数枚の表面床パーツを敷き詰める際に、取付け誤差や寸法誤差等があった場合にもこれら誤差を軟質材からなる前記突片部の変形により吸収できる。
また、該突片部が表面床パーツ間のシール部材としても機能し、浴室ベース床部側へ水等が漏れることを防止でき、該浴室ベース床部への汚れの付着が低減される。
【発明を実施するための最良の形態】
【００１３】
以下に本発明の最良の実施の形態について、図面に基づいて説明する。
図１は、本実施形態に係る浴室床構造を用いた浴室ユニットの一例を模式的に示す概略縦断面図及び該概略縦断面図の一点鎖線内を拡大して示す概略拡大縦断面図、図２（ａ）、（ｂ）は、いずれも同実施形態に係る浴室床構造を示し、（ａ）は、概略平面図、（ｂ）は、（ａ）におけるＸ−Ｘ線矢視概略縦断面図である。
図３（ａ）、（ｂ）は、いずれも同浴室床構造における表面床パーツの着脱方法の一例を説明する図であり、（ａ）は、概略平面図、（ｂ）は、（ａ）におけるＹ−Ｙ線矢視概略縦断面図、図４（ａ）は、同着脱方法を説明する概略平面図、（ｂ）は、表面床パーツの全てを脱離させた状態を示す概略平面図である。
尚、図２〜図４では、側壁パネル及び天井パネルを取外した状態を図示している。
【００１４】
本実施形態に係る浴室床構造Ａは、図１に示すように、浴室ユニット１に適用した例を示している。
上記浴室ユニット１は、大略的に、浴室床部２と、後記する複数枚の表面床パネル３と、該浴室床部２の四周に立設された側壁パネル４と、該側壁パネル４の上端に、浴室内空間を覆うように設けられた天井パネル５と、浴室床部２の一方の片側半部を構成する浴槽床部（浴槽床パン）２０に設置された浴槽６と、浴室床部２の下方に配設された排水部７とを備えている。
【００１５】
上記浴室床部２は、上記浴槽床部２０と、該浴槽床部２０に連設され、該浴室床部２の他方の片側半部を構成する洗い場ベース床部（洗い場床パン）２１と、これら浴槽床部２０及び洗い場ベース床部２１の四周に立設された立ち上がり部２２とを有している。
上記浴槽床部２０は、上記浴槽６の下部が嵌め込まれるよう上記洗い場ベース床部２１よりも段下がり状に形成されている。この浴室床部２は、その下部に設けられ、高さ調節可能とされた複数の支持脚１２により支持されている。
尚、浴室床構造Ａの詳細については後述する。
【００１６】
上記側壁パネル４は、上記浴室床部２の四周の立ち上がり部２２の上端に水密的に連設されている。この側壁パネル４には、カウンター８、ミラー９、カラン１０、シャワー１１等が設けられている。また、側壁パネル４には、図示しない照明具、出入り口及び該出入り口に開閉自在に設けられた浴室ドア等が設けられている。
上記天井パネル５は、上記側壁パネル４の上端に水密的に連設されている。この天井パネル５には、図示しない換気扇等が設けられている。
【００１７】
上記浴槽６は、その下部が上記浴槽床部２０と洗い場ベース床部２１との段差により形成された凹部に嵌め込まれており、その外周壁のうち、三方の外周壁が上記側壁パネル４に当接され、その残余の外周壁が洗い場空間側に面するエプロン６ａとされている。この浴槽６には、該浴槽６内へ給水をするための図示しない給水装置等が設けられている。
上記排水部７は、洗い場空間側からの排水口（排水トラップ）７ａ及びこれに合流する浴槽６からの排水配管７ｂ等を備えている。
【００１８】
尚、図例では、浴槽６と洗い場空間とからなる浴室ユニット１を示したが、その他、洗面設備やトイレ、或いは脱衣室等も含めてユニット化された浴室ユニットにも後記する本実施形態に係る浴室床構造Ａの適用が可能である。或いは、浴槽６を備えず、シャワーのみを備えたシャワーユニットやユニット化されていないシステムバスにも本実施形態に係る浴室床構造Ａの適用が可能である。
【００１９】
上記浴室床構造Ａは、上記浴室ユニット１の洗い場空間に適用されており、該洗い場空間の床パンを構成する。
該浴室床構造Ａは、浴室ベース床部を構成する上記洗い場ベース床部２１と、該洗い場ベース床部２１の上面２１ａに敷き詰められて洗い場床面を構成する複数枚の表面床パーツ３とを備えている。
洗い場ベース床部２１は、本実施形態では、上記浴室床部２の一部を構成し、上記浴槽床部２０と一体的に形成されている。
【００２０】
上記浴室床部２は、例えば、ＦＲＰ等の強化プラスチック、或いはポリプロピレンやＡＢＳ、ポリエチレンテレフタレート、ポリカーボネート、ＰＰＳ等の硬質の合成樹脂を基材として、裏面には発砲ウレタン等の断熱保温材が設けられており、また、上面には、保護コーティング等が施されている。さらに、当該浴室床部２の洗い場ベース床部２１には、床暖房等が内蔵されたものとしてもよい。
尚、本実施形態では、浴槽床部２０と洗い場ベース床部２１とを一体的に形成した浴室床部２を例示しているが、浴槽床部２０と、洗い場ベース床部２１とを別部材とするようにしてもよい。
【００２１】
上記洗い場ベース床部２１は、図２（ａ）に示すように、該洗い場ベース床部２１の四周端部のうち三方には、上記立ち上がり部２２がそれぞれの端部に沿って立設されており、その残余の端部には、上記浴槽６のエプロン６ａが該端部に沿うように配置されている。すなわち、上記立ち上がり部２２の内周側面２２ａ及びエプロン６ａが、該洗い場ベース床部２１の四周端部に沿って配置されており、これら内周側面２２ａ及びエプロン６ａが、後記する複数枚の表面床パーツ３の集合体の最外周端部を規制するための規制面を構成する。
この洗い場ベース床部２１の大きさは、後記する表面床パーツ３の略整数倍とされている。
【００２２】
また、図２及び図３に示すように、上記洗い場ベース床部２１の浴槽６側端部の略中央には、上記排水口７ａに連通される排水凹部２３が形成されている。この排水凹部２３の内周壁の上記洗い場ベース床部２１の上面２１ａからやや低い位置とされた適所には、該排水凹部２３に嵌め込まれる後記する排水蓋３２を支持する支持突部２３ａが設けられている。
上記洗い場ベース床部２１の上記排水凹部２３以外の上面２１ａは、図４（ｂ）に示すように、凹凸のない略平滑面とされ、該上面２１ａには、該排水凹部２３へ向かう緩やかな水勾配が形成されている。
【００２３】
上記洗い場ベース床部２１の上面２１ａに敷き詰められる表面床パーツ３は、図２（ａ）に示すように、平面視で略矩形状（図例では略正方形状）の板状体からなるパーツ本体部３０と、該パーツ本体部３０の外周端部３０ｂに設けられた突片部３１とから構成されている。
また、本実施形態では、洗い場ベース床部２１の上面２１ａに敷き詰められた複数枚の表面床パーツ３のそれぞれは、略同寸同形状とされている。
上記パーツ本体部３０は、ＦＲＰ等の強化プラスチック、或いはポリプロピレンやＡＢＳ、ポリエチレンテレフタレート、ポリカーボネート、ＰＰＳ等の硬質の合成樹脂からなり、その裏面は、略平滑面とされ、その上面３０ａには、滑り止め性を高めるための凹凸や、親水性を高めて水はけ性を高めるための微細な凹凸或いは模様等が施されている。
【００２４】
上記パーツ本体部３０の外周端部３０ｂには、該パーツ本体部３０の上面３０ａから段落ち状に形成された突片部３１が設けられている。
本実施形態では、上記突片部３１は、パーツ本体部３０の外周端部３０ｂの全周に亘って形成されるとともに、パーツ本体部３０とは別部材とされ、その外周端部３０ｂに固着されている。
また、本実施形態では、上記突片部３１は、合成ゴム、天然ゴム、ウレタン系軟質樹脂、ポリ塩化ビニル樹脂或いはエラストマー樹脂等の軟質材で形成されている。
【００２５】
上記構成とされた表面床パーツ３は、図１の一点鎖線内概略拡大縦断面図に示すように、洗い場ベース床部２１の上面２１ａに敷き詰められた状態では、それぞれの表面床パーツ３の隣接する上記突片部３１同士の外周端部３１ａが突き合わせられて当接或いは弾接する構成とされている。
また、これら突片部３１が、図２（ａ）に示すように、隣接する表面床パーツ３同士の間に介在されて床目地を形成している。
尚、上記表面床パーツ３のパーツ本体部３０と突片部３１との段差は、図では比較的大きく図示しているが、０．５ｍｍ〜５．０ｍｍ程度としてもよい。また、上記パーツ本体部３０の上端周縁部は、図例のような角張った形状ではなく、該上端周縁部をＲ面取り加工或いはＣ面取り加工するようにしてもよい。これら突片部３１の幅及び段差、並びにパーツ本体部３０の上端周縁部の形状等は、表面床パーツ３により構成される洗い場床面の意匠性、滑り止め性、水はけ性等を高めるべく適宜、設定可能である。
【００２６】
また、本実施形態では、上記突片部３１は、上記パーツ本体部３０の外周端部３０ｂに固着された例を示しているが、大きさの異なる２枚の板状体を積層して突片部を形成するようなものとしてもよい。すなわち、硬質材で形成された上層部と、該上層部よりも平面域方向に大きく形成された軟質材からなる下層部とを積層して固着し、これら上層部と下層部との大きさの違いにより軟質材からなる突片部を、表面床パーツの外周部に形成するようにしてもよい。
或いは、上記パーツ本体部３０と突片部３１とを一体的に形成するようにしてもよい。この場合は、表面床パーツの全体を硬質材或いは軟質材からなるものとしてもよい。
【００２７】
また、図２（ａ）では、洗い場ベース床部２１の上面２１ａに、１９枚の表面床パーツ３を敷き詰めた例を示しているが、洗い場ベース床部２１の大きさ或いは表面床パーツ３の大きさに合わせて、敷き詰める枚数は、図例のものには限られない。
さらに、図例では、表面床パーツ３は、その一辺が３００ｍｍ程度とされた大きさのものを例示しているが、これに限られず、一辺が１００ｍｍ〜８００ｍｍ程度のものとしてもよい。より好ましくは、一辺が２００ｍｍ〜４００ｍｍ程度の比較的小モジュールとされたものとしてもよい。これにより、取り扱い性に優れるとともに、清掃も容易となる。すなわち、表面床パーツ３のそれぞれが小さすぎると、洗い場ベース床部２１の上面２１ａに敷き詰める際、及び該上面２１ａから取外す際に面倒な作業となる。また、表面床パーツ３のそれぞれが大きすぎると、取り扱いが困難となるとともに、例えば、キッチンのシンクや洗面化粧台の洗面ボウル等での清掃も困難となる。
【００２８】
上記洗い場ベース床部２１の上記排水凹部２３に嵌め込まれる排水蓋３２は、平面視で略矩形状とされており、本実施形態では、上記略正方形状とされた表面床パーツ３と同寸とされた平面視略正方形状とされている。
この排水蓋３２の厚さは、上記表面床パーツ３の厚さよりも厚く形成されている。すなわち、図２（ｂ）に示すように、上記排水蓋３２の厚さは、上記排水凹部２３に嵌め込まれて、該排水凹部２３の内周壁に設けられた支持突部２３ａに支持された状態では、該排水蓋３２の上面と、該排水蓋３２に隣接して配置された表面床パーツ３の上面３０ａとが略同高さ（略同平面）となるよう該支持突部２３ａと洗い場ベース床部２１の上面２１ａとの段差に合わせて形成されている。
また、この排水蓋３２の浴槽６側端部には、洗い場床面からの排水を誘導する排水用段差部３２ｃ及び上記排水凹部２３と連通する排水用切欠部３２ａが形成されている。
【００２９】
上記排水蓋３２が上記排水凹部２３に嵌め込まれた状態では、該排水蓋３２の浴槽６側端部が上記浴槽６のエプロン６ａに当接し、残余の三方の外周端部３２ｂは、それら外周端部のそれぞれに隣接して配置された上記表面床パーツ３の上記突片部３１の外周端部３１ａに当接或いは弾接している。
尚、上記排水蓋３２は、本実施形態では、上記洗い場ベース床部２１の浴槽６側端部の略中央に配置される構成としているが、排水凹部２３の形成箇所を上記以外の箇所として、他の箇所に配置するようにしてもよい。
また、この排水蓋３２の排水のための排水用段差部３２ｃ及び排水用切欠部３２ａの構成は、どのようなものでもよく、例えば、排水蓋３２の上面側に長孔状（スリット状）の排水孔等を形成するようにしてもよい。
【００３０】
次に、本実施形態に係る浴室床構造Ａにおける表面床パーツ３の着脱工程について図３及び図４に基づいて説明する。
まず、図３（ａ）、（ｂ）に示すように、排水蓋３２を排水凹部２３から取外して排水凹部２３を露出させる。
この状態では、該排水凹部２３の周囲に配置された表面床パーツ３の突片部３１が上記排水蓋３２の外周端部３２ｂとの当接による規制が解除されて露出した状態となる。
【００３１】
次いで、図４（ａ）に示すように、上記排水凹部２３の周囲に配置された表面床パーツ３を洗い場ベース床部２１の上面２１ａから順次、取外す。
このように、排水蓋３２を取外すことにより、排水凹部２３の周囲に配置された表面床パーツ３を容易に取外すことができる。
この状態では、洗い場ベース床部２１の上面２１ａの一部が露出した状態となる。
さらに、図４（ｂ）に示すように、残りの表面床パーツ３を洗い場ベース床部２１の上面２１ａから順次、取外す。
この状態では、排水蓋３２及び全ての表面床パーツ３が取外されて、排水凹部２３及び洗い場ベース床部２１の上面２１ａの全てが露出した状態となる。
【００３２】
上記のように取外した表面床パーツ３を洗い場ベース床部２１に敷き詰める際には、排水蓋３２を排水凹部２３に嵌め込み、次いで、上記洗い場ベース床部２１の三方の外周端部に設けられた立ち上がり部２２及び浴槽６のエプロン６ａ、排水蓋３２等に沿って、順次、表面床パーツ３同士の突片部３１を突き合わせ、敷き詰めるようにしてもよい。
尚、表面床パーツ３の上記着脱手順は、一例に過ぎず、各部材の機能を阻害しない限りにおいて、別手順でなされるようにしてもよい。
また、汚れの付着がひどい等の理由により、所望箇所の表面床パーツ３のみを取外すことも可能である。
【００３３】
以上のように、本実施形態に係る浴室床構造Ａでは、浴室ユニット１の洗い場床面を、洗い場ベース床部２１と、該洗い場ベース床部２１の上面２１ａに取外し可能に敷き詰められる複数枚の表面床パーツ３とにより構成している。これにより、清掃時には、表面床パーツ３を洗い場ベース床部２１から取外して清掃でき、清掃性が向上する。すなわち、これら表面床パーツ３を清掃する際には、取外すことにより手元で清掃できるので、屈み込んで清掃する必要がなく、身体への負担も軽減される。また、洗い場ベース床部２１から取外した表面床パーツ３は、洗い場ベース床部２１に敷き詰めることで、容易に元に戻すことができ、清掃時等における作業性が良い。
また、特に、本実施形態では、上記表面床パーツ３は、裏面が略平滑面とされているので、該表面床パーツ３を容易に清掃できる。
【００３４】
また、従来の浴室の洗い場床面に形成されていた目地や凹凸を、表面床パーツ３の上面３０ａに形成するようにしているので、上記のように清掃性が向上されるのみならず、意匠性、滑り止め性及び水はけ性も同時に向上させることができる。すなわち、意匠性、滑り止め性及び水はけ性の機能としての目地や凹凸を、取外し可能な表面床パーツ３に備えさせることで、従来除去が困難であった洗い場床面の凹部や目地溝の清掃性を飛躍的に向上させることができる。
【００３５】
さらに、表面床パーツ３は、取外し可能とされているので、除去できない汚れや破損等が生じたい場合、或いは模様替え等をしたい場合には、交換もできる。
さらにまた、洗い場ベース床部２１の上面２１ａには、目地や凹凸が形成されておらず、略平滑面とされているので、製造が容易であるとともに、表面床パーツ３を取外すことで、洗い場ベース床部２１の上面２１ａを容易に清掃できる。
【００３６】
また、複数枚の表面床パーツ３のそれぞれは、略同寸同形状とされているので、製造コストを低減できるとともに、保管性及び搬送性に優れた表面床パーツ３となる。
さらに、それぞれ略同寸同形状とされているので、洗い場ベース床部２１から取外して、該表面床パーツ３を清掃した後に、洗い場ベース床部２１に敷き詰める際に、容易に敷き詰めることができる。
さらにまた、本実施形態では、表面床パーツ３の外周部に、表面床パーツ３の上面３０ａより段落ち状に形成された突片部３１を設け、洗い場ベース床部２１の上面２１ａに表面床パーツ３を敷き詰めた際には、該突片部３１が隣接する該表面床パーツ３同士の間に介在されて床目地を形成するようにしているので、洗い場床面の意匠性、滑り止め性及び水はけ性が該突片部３１により向上される。
【００３７】
また、本実施形態では、上記表面床パーツ３の突片部３１を、軟質材からなるものとしているので、洗い場ベース床部２１に複数枚の表面床パーツ３を敷き詰める際に、取付け誤差や寸法誤差等があった場合にもこれら誤差を軟質材からなる突片部３１の変形により吸収できる。
また、該突片部３１が表面床パーツ３間のシール部材としても機能し、洗い場ベース床部２１側へ水等が漏れることを防止でき、該洗い場ベース床部２１への汚れの付着が低減される。
尚、本実施形態では、表面床パーツ３自体の清掃性を向上すべく、取外しのための手掛け用の凹部や取っ手等を表面床パーツに形成していない例を示しているが、これら取外しのための手掛け用の凹部や取っ手等を表面床パーツに形成するようにしてもよい。
【００３８】
次に、本実施形態に係る浴室床構造Ａに用いられる表面床パーツの変形例について、図面に基づいて説明する。
図５（ａ）〜（ｃ）は、いずれも第１変形例に係る表面床パーツを示し、（ａ）は、概略平面図、（ｂ）は、（ａ）におけるＶ矢視概略側面図、（ｃ）は、（ａ）におけるＷ矢視概略側面図、図６は、同変形例の表面床パーツの連結構造を説明する概略底面図である。
尚、上記表面床パーツ３と同様の構成については、説明を省略或いは簡略に説明する。
【００３９】
本変形例に係る表面床パーツ３Ａは、上記同様、平面視略正方形状とされたパーツ本体部３０Ａと、該パーツ本体部３０Ａの外周端部３０Ａｂの全周に亘って形成された突片部３１Ａとを備えている。
また、本変形例では、図５（ａ）に示すように、表面床パーツ３Ａの互いに対向する端部に、一対の被係合凹部３３，３３と、一対の係合アーム収容凹部３４，３４とがそれぞれ形成されている。すなわち、図例では、対向する上下端部に一対の被係合凹部３３，３３を形成し、対向する左右端部に一対の係合アーム収容凹部３４，３４を形成している。
【００４０】
上記係合アーム収容凹部３４，３４は、図５（ｂ）に示すように、表面床パーツ３Ａの裏面側及び端部外方に向けて開口するように切欠形成されており、該係合アーム収容凹部３４内には、係合アーム３７が収容されている。
この係合アーム３７は、その基端部が当該表面床パーツ３Ａの厚さ方向に貫通されたアーム軸３６に固設されており、該アーム軸３６の上端部には、図５（ａ）に示すように、操作軸頭部３５が固設されている。
該操作軸頭部３５の上面側には、マイナスドライバー或いはコイン等の治具により該操作軸頭部３５を回転させるための凹条が形成されている。
上記治具等により操作軸頭部３５を回転させることで、上記係合アーム３７が、上記アーム軸３６廻りに回転されて、表面床パーツ３Ａの一端部から出没される（図６参照）。
【００４１】
上記被係合凹部３３，３３は、図５（ｃ）に示すように、表面床パーツ３Ａの裏面側及び端部外方に向けて開口するように切欠形成されている。
上記構成とされた表面床パーツ３Ａは、図６に示すように、上記洗い場ベース床部２１（図１他参照）に敷き詰める際には、互いに隣接して配置される表面床パーツ３Ａの被係合凹部３３と係合アーム収容凹部３４とが突き合わせられて対向するように配置される。
上記のように敷き詰めた状態で、上記係合アーム３７に連結された操作軸頭部３５を回転させることで、該係合アーム３７が上記係合アーム収容凹部３４から外方に向けて突出し、その先端部分が隣接して配置された表面床パーツ３Ａの被係合凹部３３に収容される。
【００４２】
すなわち、図例のように、３枚の表面床パーツ３Ａのうち、中央に配置された表面床パーツ３Ａの上下端部から突出された係合アーム３７，３７が、それぞれ上下に隣接する表面床パーツ３Ａの被係合凹部３３，３３に収容されて規制されることで、中央に配置された表面床パーツ３Ａが上記洗い場ベース床部２１の上面２１ａから浮くようなことを防止できる。
このように、上記洗い場ベース床部２１の上面２１ａに、本変形例に係る表面床パーツ３Ａを敷き詰めて、上記のように係合アーム３７，３７を回転させることで、それぞれの表面床パーツ３Ａが上記のように規制されるので、全体として表面床パーツ３Ａ同士が連結された構造となり、洗い場床面を構成する表面床パーツ３Ａに浮き等が生じることがない。
【００４３】
また、本変形例に係る表面床パーツ３Ａを、洗い場ベース床部２１の上面２１ａから取外す際には、上記操作軸頭部３５を回転させ、上記係合アーム３７を係合アーム収容凹部３４に収容させることで、上記被係合凹部３３との係合を解除させて取外すようにしてもよい。或いは、上記例のように、排水蓋３２を取外した後に、表面床パーツ３Ａの取外しをする際には、該係合アーム３７が上記係合アーム収容凹部３４から突出し、その先端部分が上記被係合凹部３３に収容されている状態のまま、表面床パーツ３Ａ自体をスライドさせて取外すようにしてもよい。
【００４４】
尚、表面床パーツ３Ａ同士を連結して、上記のように浮き等を防止する構成は、図例のものに限られず、表面床パーツ３Ａ同士の連結とその解除ができる連結構造であれば、どのようなものでもよい。すなわち、表面床パーツ３Ａの一方の対向両端部にそれぞれ被係合凹部を設け、他方の対向両端部に、該端部から出没自在とされた係合部をそれぞれ設け、該係合部を該被係合凹部に収容させることで、該係合部が該被係合凹部に規制されるような構成としてもよい。
また、本変形例では、操作軸頭部３５をパーツ本体部３０Ａの上面３０Ａａに位置させ、また、それに合わせてアーム軸３６を該パーツ本体部３０Ａの厚さ方向に貫通させた例を示しているが、操作軸頭部３５を突片部３１Ａの上面に位置させるとともに、それに合わせて、アーム軸３６を該突片部３１Ａの厚さ方向に貫通させるようにしてもよい。
【００４５】
また、本変形例では、表面床パーツ３Ａの清掃性を高めるべく、上記被係合凹部３３及び上記係合アーム収容凹部３４のいずれも表面床パーツ３Ａの裏面側及び端部外方に向けて開口するように切欠形成したものを例示しているが、これに限られず、端部外方に向けてのみ開口するような凹溝状のものとしてもよい。これによれば、互いの連結をより高めることができ、浮き等をより効果的に防止できる。
さらに、本変形例では、係合アーム３７をいずれの方向に回転させても上記被係合凹部３３に収容可能なように、係合アーム収容凹部３４は、係合アーム３７がアーム軸３６廻りに略１８０°回転可能なように形成され、また、上記被係合凹部３３の形状も該係合アーム３７の回転移動に合わせて底面視して略半楕円状の形状としているが、以下のようにしてもよい。係合アーム収容凹部を、係合アームがアーム軸廻りに略９０°回転可能なように形成するとともに、該被係合凹部の形状もそれに合わせて、底面視して略扇形状としてもよい。
さらにまた、係合アームの先端部に鉤状突起を設け、上記被係合凹部に該鉤状突起が収容される鉤溝部を形成するようにしてもよい。
【００４６】
次に、本実施形態に係る浴室床構造Ａに用いられる表面床パーツの他の変形例について、図面に基づいて説明する。
図７（ａ）〜（ｃ）は、いずれも同実施形態に係る浴室床構造に用いられる表面床パーツの他の変形例をそれぞれ示す概略平面図である。
尚、上記表面床パーツ３と同様の構成については、説明を省略或いは簡略に説明する。
【００４７】
図７（ａ）は、第２変形例に係る表面床パーツ３Ｂを示し、該表面床パーツ３Ｂは、平面視略正方形状とされている点は、上記表面床パーツ３と同様であるが、突片部３１Ａの構成が上記例とは異なる。
すなわち、該表面床パーツ３Ｂでは、パーツ本体部３０Ｂの外周端部の全周に亘って突片部を形成しておらず、四周端部のうち、隣接する二つの外周端部３０Ｂｂにのみ突片部３１Ｂを形成するようにしている。
このものでも上記表面床パーツ３と同様、洗い場ベース床部２１に敷き詰められた状態では、突片部３１Ｂは、床目地を形成するとともに、軟質材からなるものとすることで、誤差吸収でき、また、シール部材として機能する。
【００４８】
図７（ｂ）は、第３変形例に係る表面床パーツ３Ｃを示し、該表面床パーツ３Ｃは、平面視して略正六角形状とされている。
すなわち、該表面床パーツ３Ｃは、そのパーツ本体部３０Ｃが平面視して略正六角形状とされるとともに、その外周端部３０Ｃｂの全周に亘って突片部３１Ｃが形成されている。
また、図７（ｃ）は、第４変形例に係る表面床パーツ３Ｄを示し、該表面床パーツ３Ｄは、平面視して略正三角形状とされている。
すなわち、該表面床パーツ３Ｄは、そのパーツ本体部３０Ｄが平面視して略正三角形状とされるとともに、その外周端部３０Ｄｂの全周に亘って突片部３１Ｄが形成されている。
【００４９】
これら第３変形例及び第４変形例に係る表面床パーツ３Ｃ及び表面床パーツ３Ｄにおいても上記表面床パーツ３と同様、洗い場ベース床部２１に敷き詰められた状態では、各突片部３１Ｃ，３１Ｄは、床目地を形成するとともに、軟質材からなるものとすることで、誤差吸収でき、また、シール部材として機能する。
尚、上記第２変形例〜第４変形例の各表面床パーツに、上記第１変形例で説明した連結構造を設けるようにしてもよい。
【００５０】
また、表面床パーツの形状は、上記各例において示した形状に限らず、平面視して他の多角形状、或いは、その他の幾何学形状としてもよいが、複数枚の表面床パーツのそれぞれが略同寸同形状とされたものとすることが好ましい。
さらに、突片部をその外周端部に設けないようにしてもよい。
さらにまた、平面視して略矩形状とされた表面床パーツ以外の形状とされた表面床パーツの場合においては、平面視して略矩形状とされた洗い場ベース床部に敷き詰める際に、外周部において半端部が形成されるが、このような半端部は、切除することにより、洗い場ベース床部の形状に合わせて、その上面の全面に亘って敷き詰めるようにすればよい。或いは、予め洗い場ベース床部の形状に合わせて、外周部専用の表面床パーツを形成するようにしてもよい。
【図面の簡単な説明】
【００５１】
【図１】本発明に係る浴室床構造の一実施形態を用いた浴室ユニットの一例を模式的に示す概略縦断面図及び該概略縦断面図の一点鎖線内を拡大して示す概略拡大縦断面図である。
【図２】（ａ）、（ｂ）は、いずれも同実施形態に係る浴室床構造を示し、（ａ）は、概略平面図、（ｂ）は、（ａ）におけるＸ−Ｘ線矢視概略縦断面図である。
【図３】（ａ）、（ｂ）は、いずれも同浴室床構造における表面床パーツの着脱方法の一例を説明する図であり、（ａ）は、概略平面図、（ｂ）は、（ａ）におけるＹ−Ｙ線矢視概略縦断面図である。
【図４】（ａ）は、同着脱方法を説明する概略平面図、（ｂ）は、表面床パーツの全てを脱離させた状態を示す概略平面図である。
【図５】（ａ）〜（ｃ）は、いずれも同実施形態に係る浴室床構造に用いられる表面床パーツの変形例を示し、（ａ）は、概略平面図、（ｂ）は、（ａ）におけるＶ矢視概略側面図、（ｃ）は、（ａ）におけるＷ矢視概略側面図である。
【図６】同変形例の表面床パーツの連結構造を説明する概略底面図である。
【図７】（ａ）〜（ｃ）は、いずれも同実施形態に係る浴室床構造に用いられる表面床パーツの他の変形例をそれぞれ示す概略平面図である。
【符号の説明】
【００５２】
３，３Ａ，３Ｂ，３Ｃ，３Ｄ                      表面床パーツ
３０ａ，３０Ａａ，３０Ｂａ，３０Ｃａ，３０Ｄａ  表面床パーツの上面
３０ｂ，３０Ａｂ，３０Ｂｂ，３０Ｃｂ，３０Ｄｂ  表面床パーツの外周部
３１，３１Ａ，３１Ｂ，３１Ｃ，３１Ｄ            表面床パーツの突片部
２１                                            洗い場ベース床部（浴室ベース床部）
２１ａ                                          洗い場ベース床部の上面
【図１】
2009228367.tif 000003
【図２】
2009228367.tif 000004
【図３】
2009228367.tif 000005
【図４】
2009228367.tif 000006
【図５】
2009228367.tif 000007
【図６】
2009228367.tif 000008
【図７】
2009228367.tif 000009